(57)【要約】      （修正有）【課題】使用者が腰掛けた状態で落ち着いて使用でき、しかも好奇心をもって使用できる構成の足載せ台を提供する。【解決手段】左右の両足裏Ｈ，Ｈを載せ得る面積を有する板材からなるベース本体１を備えた足載せ台において、ベース本体１の上面における左右に離間した２位置に、ベース本体１に対して回転自在とされた回転台２，２を設けるとともに、各回転台２における回転中心から偏心した位置に、両足裏Ｈ，Ｈの各土踏まず部に圧接される突起物４，４・・を設けて、使用者が腰掛けた状態で（リラックスした状態で）足裏の土踏まず部に対して指圧効果を発揮できるとともに、足裏を載せた突起物４が偏心回転することにより好奇心をもって使用できるようにした。【選択図】図１
2011041625.tif 000002
【特許請求の範囲】
【請求項１】
左右の両足裏を載せ得る面積を有する板材からなるベース本体を備えた足載せ台であって、前記ベース本体の上面における左右に離間した２位置には、前記ベース本体に対して回転自在とされた回転台を設けるとともに、該回転台における回転中心から偏心した位置に、前記両足裏の各土踏まず部に圧接される突起物を設けたことを特徴とする足載せ台。
【請求項２】
前記突起物を複数個設けたことを特徴とする請求項１に記載の足載せ台。
【請求項３】
前記突起物の頂部には、球体を回転自在に設けたことを特徴とする請求項１または２に記載の足載せ台。
【請求項４】
前記ベース本体の適所には、足裏を載せてベース本体の前後本体に回転させることができる一対のローラを設けたことを特徴とする請求項１から３のいずれか１項に記載の足載せ台。
【発明の詳細な説明】
【技術分野】
【０００１】
本願発明は、足載せ台に関し、さらに詳しくは、腰掛けた状態で足裏（特に、土踏まず部）に対して指圧効果を発揮できる足載せ台に関するものである。
【背景技術】
【０００２】
従来から、足裏への指圧効果を期待できる指圧器具としては、例えば竹踏み式の指圧器具がある。この竹踏み式の指圧器具では、床面に載置された半筒状の足踏み竹上に両足（特に土踏まず部分）を載せて立ち上がり、歩行する要領で交互に踏み付けるようにして使用する。
【０００３】
また、公知の特許文献の中には、例えば特許文献１に示されるように、ベース本体上面に一対の板バネを設け、該板バネの揺動側と前記ベース本体との間に調整用バネを介設するとともに、前記板バネの揺動側に作動台をそれぞれ設けたものが知られている。この指圧器具は、前記作動台に足を載せ、板バネの反発力で指圧効果を期待することとなっている。
【先行技術文献】
【特許文献】
【０００４】
【特許文献１】実用新案第３０１５８２３号公報
【発明の概要】
【発明が解決しようとする課題】
【０００５】
ところで、上記した竹踏み式の指圧器具では、人が立った状態で足踏み台を両足で交互に踏み付けるものであり、長時間に亙っての使用には不向きであった。
【０００６】
また、上記特許文献１に開示されている指圧器具の場合は、板バネの揺動側に設けられた作動台に足を載せて使用することとなっているため、足を載せた状態が不安定になるところから、腰掛けた状態で足裏（特に、土踏まず部）に対して指圧効果を発揮できる足載せ台としては、使用者が落ち着いて使用することが難しいという不具合があるとともに、板バネや調整用バネが必要となり、構造的に複雑となるという不具合もある。
【０００７】
本願発明は、上記の点に鑑みてなされたもので、簡単な構造で、使用者が腰掛けた状態で落ち着いて使用できるとともに、好奇心をもって使用できるようにした足載せ台を提供することを目的とするものである。
【課題を解決するための手段】
【０００８】
本願発明は、上記課題を解決するための手段として、次の構成を有している。なお、本願発明は、左右の両足裏を載せ得る面積を有する板材からなるベース本体を備えた足載せ台を対象としている。
【０００９】
そして、本願発明の足載せ台には、ベース本体の上面における左右に離間した２位置に、ベース本体に対して回転自在とされた回転台を設けるとともに、該回転台における回転中心から偏心した位置に、両足裏の各土踏まず部に圧接される突起物を設けている。
【００１０】
この足載せ台では、上記の構成により、使用者が腰掛けた状態で（例えばデスクワークをしながら）、両足裏の土踏まず部をベース本体上の各突起物に載せることができ、長時間に亙ってリラックスした状態で両土踏まず部に対する指圧効果を期待することができる。また、回転中心から偏心した位置に両足裏の各土踏まず部に圧接される突起物を設けていることにより、足裏を載せた突起物を回転させることができることとなり、好奇心をもって（単調ではない変化の多い状態で）使用することができる。
【００１１】
また、本願発明では、上記突起物を複数個設けることができる。この突起物の個数は、２個〜４個程度が適当であるが、いずれも回転中心から偏位した位置に設けるとよい。このようにすると、複数個の突起物が足裏に圧接されることとなり、より効果的な指圧効果が得られる。
【００１２】
さらに、本願発明では、突起物の頂部に球体を回転自在に設けることができる。このようにすると、突起物上に載せた足裏に回転自在な球体が圧接されることとなり、足裏と突起物との接触抵抗を大幅に低減できるとともに、足裏を動かすと球体が回転して足裏に対してマッサージ効果を付与できる。
【００１３】
また、本願発明では、ベース本体の適所に、足裏を載せてベース本体の前後方向に回転させることができる一対のローラを設けることができる。このようにすると、ローラによる足裏全体へのマッサージ効果が期待できる。
【発明の効果】
【００１４】
本願発明の足載せ台は、左右の両足裏を載せ得る面積を有する板材からなるベース本体の上面における左右に離間した２位置に、ベース本体に対して回転自在とされた回転台を設けるとともに、該回転台における回転中心から偏心した位置に、両足裏の各土踏まず部に圧接される突起物を設けて構成している。
【００１５】
従って、この本願発明の足載せ台は、使用者が腰掛けた状態で（リラックスした状態）で、両足裏の土踏まず部に対して指圧効果を発揮することができるとともに、腰掛けた状態で使用できるので、長時間にわたる使用が可能であるという効果がある。
【００１６】
また、この足載せ台では、突起物上に足裏を載せた状態で足を動かすと該突起物も偏心回転するので、好奇心をもって（単調ではない変化の多い状態で）使用することができるという効果もある。
【００１７】
また、上記突起物を複数個設けていると、該複数個の突起物が足裏に圧接されることとなり、より良好な指圧効果が得られる。
【００１８】
さらに、突起物の頂部に球体を回転自在に設けていると、足裏が回転自在な球体に圧接されることとなり、足裏と突起物との接触抵抗を大幅に低減できるとともに、足裏を動かすと球体が転動するのでより一層のマッサージ効果が得られる。
【００１９】
また、ベース本体の適所に、足裏を載せて前後方向に回転させることができる一対のローラを設けていると、突起物による指圧効果のほかに、ローラによるマッサージ効果も得られる。
【図面の簡単な説明】
【００２０】
【図１】本願発明の実施例にかかる足載せ台の平面図である。
【図２】図１のII−II断面図である。
【図３】図１のIII−III断面図である。
【発明を実施するための形態】
【００２１】
以下、図１〜図３を参照して、本願実施例の足載せ台について説明する。
【００２２】
この実施例の足載せ台は、左右の両足裏Ｈ，Ｈを載せ得る面積を有する矩形形状の板材からなるベース本体１を備えて構成されている。
【００２３】
ベース本体１の上面における左右に離間した２位置には、それぞれ略菱形形状の回転台２，２が設けられている。この各回転台２，２は、その中心に設けた回転軸３，３により、水平面内で（図１の矢印方向に）回転自在に枢支されている。
【００２４】
各回転台２，２の面積は、足裏Ｈの土踏まず部Ｈ1の面積程度とされている。
【００２５】
各回転台２における各頂点部（４箇所）２ａ，２ａ・・には、足裏の土踏まず部Ｈ1の深さよりやや高い程度の大きさの突起物４，４・・がそれぞれ設けられている。なお、この実施例では、突起物４として４個を１組としているが、他の実施例で該突起物４は１個だけでもよいし、２個または３個、あるいは５個以上の適数個でもよい。
【００２６】
４個を１組とする各突起物４，４・・は、回転台２における各頂点部２ａにそれぞれ固定された略円錐形状の突起物本体４ａと、該突起物本体４ａの頂部に回転自在に収納された球体４ｂとによって構成されている。
【００２７】
突起物本体４ａ内には、球体４ｂの外径と等しい内径を有する縦穴４ｃが形成されている。該縦穴４ｃの底部には、球体４ｂを突起物本体４ａの頂部に回転自在に保持するための充填体４ｄが充填されている。なお、突起物本体４ａの頂部に球体４ｂを無理嵌めし得る空間を形成する場合もある。
【００２８】
この各突起物４，４・・は、３〜４ｃｍ程度の高さを有しており、該各突起物４，４・・上に足裏の土踏まず部Ｈ1を載せたときには、土踏まず部以外の足裏部分がベース本体１の上面から離間するようになる。従って、各土踏まず部Ｈ1が確実に各突起物４，４・・上に圧接するようになる。
【００２９】
ベース本体１の面積は、特に限定するものではないが、前後幅を２０〜２５ｃｍ程度、左右幅を３０〜４０ｃｍ程度とするのが適当である。また、ベース本体１の材料としては、特に限定されないが、木製板、金属製板、合成樹脂製板を使用可能である。
【００３０】
ベース本体１には、その前側中央部に指差込み穴５が穿設されている。この指差込み穴５は、この足載せ台を持ち運ぶときの取手穴となるものである。
【００３１】
ベース本体１の下面には、小高さの脚部６，６・・がそれぞれ設けられている。この各脚部６，６・・は、床面Ｆに接地される円盤形状の接地部７と、該接地部７の中心から立設され且つベース本体１の４隅に設けた各ボス部１ａに螺合されるネジ８とからなっている。そして、各脚部６，６・・は、それぞれ各ボス部１ａに対するネジ８の螺合度により高さ調節自在とされている。なお、他の実施例においては、各脚部６，６・・のうちの少なくとも前側の２つあるいは後側の２つを高さ調節自在とすることもできる。
【００３２】
さらに、ベース本体１の手前部分中央部には、符号Ｈ′，Ｈ′で示すようにそれぞれ足裏を載せてベース本体１の前後方向に回転させることができる一対のローラ９，９が設けられている。各ローラ９，９の設置位置は、ベース本体１における回転台２，２が設けられていない部分であれば特に特定されないが、この実施例のようにベース本体１の手前部分中央部とするのが腰掛けた状態で自然に足を載せ得る位置となる。なお、符号１０はローラ９の回転軸、１１は回転軸１０を軸支するためにベース本体１上に形成された軸受である。
【００３３】
このようにベース本体１に一対のローラ９，９を設けると、該ローラ９，９による足裏Ｈ′，Ｈ′全体へのマッサージ効果が期待することできる。
【００３４】
この実施例にかかる足載せ台では、次のような機能が得られる。
【００３５】
まず、この足載せ台は、使用者が腰掛けた状態（リラックスした状態）で、両足裏Ｈ，Ｈの各土踏まず部Ｈ1，Ｈ1をそれぞれ１組（４個）の突起物４，４・・上に載せることができ、長時間にわたって（腰掛けた状態で）土踏まず部Ｈ1，Ｈ1に対する指圧効果を発揮することができる。
【００３６】
また、４個１組の突起物４，４・・がそれぞれ足裏Ｈ，Ｈに圧接されるので、より効果的な指圧効果が得られる。
【００３７】
そのとき、各突起物４，４・・が回転軸３，３を中心として回転可能となっているので、各突起物４，４・・上に足裏を載せた状態で足を水平回転（右回転又は／及び左回転）させると、各突起物４が足裏とともに回転軸３を中心に偏心回転するようになり、この足載せ台を好奇心をもって（単調ではない変化の多い状態で）使用することができる。
【００３８】
さらに、各突起物４の頂部に球体４ｂを回転自在に設けているので、足裏Ｈに対して各球体４ｂ，４ｂ・・が転動する。従って、足裏Ｈと突起物４，４・・との接触抵抗を大幅に低減できるとともに、各球体４ｂが回転することにより足裏Ｈに対するマッサージ効果が一層良好となる。
【００３９】
また、ベース本体１の適所には、足裏Ｈ′，Ｈ′を載せて前後方向に回転させることができる一対のローラ９，９を設けているので、各突起物４とは別に各ローラ９，９による足裏Ｈ全体へのマッサージ効果も期待できる。
【００４０】
また、ベース本体１の下面の４隅部付近にそれぞれ脚部６，６・・を設けているので、ベース本体１の下面側の風通しが良好となり、足裏体温で暖められたベース本体１の熱がその下面側からも放熱されることとなり、ベース本体１に対する冷却効果を期待することができる。
【００４１】
さらに、脚部７，７・・を高さ調節自在としているので、簡単な操作でベース本体１の上面の傾斜角度を使用者の好みの角度に調節することが可能となる。
【００４２】
なお、本願発明は、上記実施例に限定されるものではなく、発明の要旨を逸脱しない範囲において適宜設計変更可能なことは勿論である。
【符号の説明】
【００４３】
１はベース本体、２は回転台、３は回転軸、４は突起物、４ａは突起物本体、４ｂは球体、９はローラ、Ｈは足裏、Ｈ1は土踏まず部である。
【図１】
2011041625.tif 000003
【図２】
2011041625.tif 000004
【図３】
2011041625.tif 000005